(57)【要約】      （修正有）【課題】異種ネットワーク制御システムを提供する。【解決手段】異種ネットワーク制御システム１は、主制御基地局３と少なくとも１台の中継局４とを備え、主制御基地局３内に、第１通信器３１、第２通信器３３及び信号処理器３２が設置され、中継局４内に、第１中継通信器４１、第２中継通信器４３及び信号変換器４２が設けられ、第１通信器３１は、第１信号２０を介してアプリケーションプラットフォーム２と双方向電気通信接続され、かつ第１通信器３１が信号処理器３２に電気通信接続され、信号処理器３２が第２通信器３３に電気通信接続され、第２通信器３３は、第２信号３０を介して第１中継通信器４１と双方向電気通信接続され、第１中継通信器４１が信号変換器４２に電気通信接続され、信号変換器４２が第２中継通信器４３に電気通信接続され、第２中継通信器４３は、第３信号４０を介して少なくとも１台の終端器５と双方向電気通信接続されている。【選択図】図１
0003195815.tif 000002
【実用新案登録請求の範囲】
【請求項１】
主制御基地局と少なくとも１台の中継局とを備える異種ネットワーク制御システムであって、
前記主制御基地局内に、第１通信器、第２通信器及び信号処理器が設置され、前記少なくとも１台の中継局内に、第１中継通信器、第２中継通信器及び信号変換器が設けられ、前記第１通信器は、第１信号を介してアプリケーションプラットフォームと双方向電気通信接続され、かつ前記第１通信器が前記信号処理器に電気通信接続され、前記信号処理器が前記第２通信器に電気通信接続され、前記第２通信器は、第２信号を介して前記第１中継通信器と双方向電気通信接続され、前記第１中継通信器が前記信号変換器に電気通信接続され、前記信号変換器が前記第２中継通信器に電気通信接続され、前記第２中継通信器は、第３信号を介して少なくとも１台の終端器と双方向電気通信接続され、
前記異質ネットワーク制御システムの信号伝達経路が、前記アプリケーションプラットフォームから前記少なくとも１台の終端器に伝送する経路である場合、前記第１信号は、前記信号処理器を介して前記第２信号に変換され、前記第２信号は、前記信号変換器を介して前記第３信号に変換され、前記異質ネットワーク制御システムの信号伝達経路が、前記少なくとも１台の終端器から前記アプリケーションプラットフォームに伝送する経路である場合、前記第３信号は、前記信号変換器を介して前記第２信号に変換され、前記第２信号は、前記信号処理器を介して前記第１信号に変換され、これにより、異質ネットワークの通信モードが達成され、かつ前記第１信号は、３Ｇ信号、４Ｇ信号、Ｗｉｆｉ信号、電力線信号またはブルートゥース信号から選ばれ、前記第２信号は、Ｗｉｆｉ信号、ブルートゥース信号、Ｚｉｇｂｅｅ（登録商標）信号、電力線信号、ＥｎＯｃｅａｎ信号またはＺｗａｖｅ信号から選ばれることを特徴とする、異種ネットワーク制御システム。
【請求項２】
前記第３信号は、３Ｇ信号、４Ｇ信号、Ｗｉｆｉ信号、Ｚｉｇｂｅｅ（登録商標）信号、ブルートゥース信号、ＲＦＩＤ信号、電力線信号、ＥｎＯｃｅａｎ信号またはＺｗａｖｅ信号から選ばれることを特徴とする、請求項１に記載の異種ネットワーク制御システム。
【請求項３】
前記少なくとも１台の終端器が制御器である場合、前記第３信号は、Ｗｉｆｉ信号、Ｚｉｇｂｅｅ（登録商標）信号、ブルートゥース信号、ＲＦＩＤ信号、電力線信号、ＥｎＯｃｅａｎ信号またはＺｗａｖｅ信号から選ばれ、かつ前記制御器には、前記少なくとも１台の中継局に対応する無線識別コードが設けられ、前記無線識別コードは、前記少なくとも１台の中継局の指定を介して暗号化認証コードを生成することを特徴とする、請求項１に記載の異種ネットワーク制御システム。
【請求項４】
前記少なくとも１台の終端器がモバイルデバイスである場合、前記第３信号は、３Ｇ信号、４Ｇ信号、Ｗｉｆｉ信号またはブルートゥース信号から選ばれることを特徴とする、請求項１に記載の異種ネットワーク制御システム。
【請求項５】
前記少なくとも１台の中継局が複数設置される場合、複数の当該中継局同士は、互いに前記第２信号を介して電気通信接続されていることを特徴とする、請求項１に記載の異種ネットワーク制御システム。
【考案の詳細な説明】
【技術分野】
【０００１】
本考案は、ネットワークシステムに関し、特に、主制御基地局、中継局及び終端器が異なる通信プロトコルの信号を発信及び受信することができる、異種ネットワーク制御システムに関する。
【背景技術】
【０００２】
異なる要求のネットワーク帯域及び用途を達成するために、各種の異なる規格の無線通信技術が提案され、かつ異なる生活関連製品に運用されている。例えば、３Ｇ、４Ｇが移動通信システムに使用され、携帯電話と基地局との連結を介して即時にネットワーク接続することができ、携帯電話使用者の利便性を大幅に増加させることができる。なお、例えば、Ｗｉｆｉ、ブルートゥース、Ｚｉｇｂｅｅ（登録商標）、Ｚｗａｖｅ、ＲＦＩＤ、ＥｎＯｃｅａｎなどのような低域の無線ネットワークシステムは、異なる用途に応用され、Ｗｉｆｉのシステムは、特定のローカルエリアネットワークが構築されてこのローカルエリアネットワークが暗号化され、権限が取得できた使用者のみ、前記ローカルエリアネットワークを使用可能としているのである。而して、ブルートゥースの現在の使用範囲はとても広く、例えば、無線イヤホン、無線キーボード及び無線マウスまたは携帯電話から携帯電話に対するデータ伝送などが挙げられ、いずれもブルートゥースにより達成され、かつブルートゥース４．０は、より良好な省電力メカニズム、未来の高度な発展性がある。このほか、Ｚｉｇｂｅｅ（登録商標）やＺｗａｖｅ、ＥｎＯｃｅａｎは、低電力消費・低伝送効率の特性を有するので、大部分が例えば、家庭電源制御、医療などの分野の無線検知及び無線制御に使用される。ＲＦＩＤは、その伝送距離が比較的短いので、電子料金収受システム、身分識別、物流管理などに応用される。
【０００３】
異なる規格の無線通信プロトコルのため、そのパケットフォーマットと操作頻度の差異により、異なるプロトコルの通信設備同士の間は、互いに信号を直接に伝達または受信することができず、使用者の設備との間は、互いにコミュニケーションするために、異なる転換設備が必要となり、またそのような転換設備は、ある種の通信プロトコルの信号に対する変更しか行えなかった。このため、複数の相異なる通信プロトコルの信号を受信または伝送することができない。
【考案の概要】
【考案が解決しようとする課題】
【０００４】
これに鑑みて、如何にして異なる通信プロトコルの信号を整合することで、異なる通信プロトコルの設備同士の間が相互にコミュニケーション可能になり、良好な暗号性を有し、かつ異種ネットワークの通信システムを形成するかが本考案において解決しようとする課題である。
【０００５】
本考案は、異種ネットワーク制御システムを提供することを目的とする。異種ネットワーク制御システムは、異なる通信プロトコルの信号を整合する機能を有し、その異種ネットワーク制御システムを用いて異種ネットワークの通信システムを形成することができる。
【課題を解決するための手段】
【０００６】
上記目的を達成するために、本考案の異種ネットワーク制御システムは、主制御基地局と少なくとも１台の中継局とを備え、前記主制御基地局内に、第１通信器、第２通信器及び信号処理器が設置され、前記少なくとも１台の中継局内に、第１中継通信器、第２中継通信器及び信号変換器が設けられ、前記第１通信器は、第１信号を介してアプリケーションプラットフォームと双方向電気通信接続され、かつ前記第１通信器が前記信号処理器に電気通信接続され、前記信号処理器が前記第２通信器に電気通信接続され、前記第２通信器は、第２信号を介して前記第１中継通信器と双方向電気通信接続され、前記第１中継通信器が前記信号変換器に電気通信接続され、前記信号変換器が前記第２中継通信器に電気通信接続され、前記第２中継通信器は、第３信号を介して少なくとも１台の終端器と双方向電気通信接続され、前記異種ネットワーク制御システムの信号伝達経路が、前記アプリケーションプラットフォームから前記少なくとも１台の終端器に伝送する経路である場合、前記第１信号は、前記信号処理器を介して前記第２信号に変換され、前記第２信号は、前記信号変換器を介して前記第３信号に変換され、前記異種ネットワーク制御システムの信号伝達経路が、前記少なくとも１台の終端器から前記アプリケーションプラットフォームに伝送する経路である場合、前記第３信号は、前記信号変換器を介して前記第２信号に変換され、前記第２信号は、前記信号処理器を介して前記第１信号に変換される。これにより、異種ネットワークの通信モードが達成され、かつ前記第１信号は、３Ｇ信号、４Ｇ信号、Ｗｉｆｉ信号、電力線信号またはブルートゥース信号から選ばれ、前記第２信号は、Ｗｉｆｉ信号、ブルートゥース信号、Ｚｉｇｂｅｅ（登録商標）信号、電力線信号、ＥｎＯｃｅａｎ信号またはＺｗａｖｅ信号から選ばれる。
【０００７】
その内、前記第３信号は、３Ｇ信号、４Ｇ信号、Ｗｉｆｉ信号、Ｚｉｇｂｅｅ（登録商標）信号、ブルートゥース信号、ＲＦＩＤ信号、電力線信号、ＥｎＯｃｅａｎ信号またはＺｗａｖｅ信号から選ばれる。
【０００８】
別の実施態様において、その内、前記終端器が制御器である場合、前記第３信号は、Ｗｉｆｉ信号、Ｚｉｇｂｅｅ（登録商標）信号、ブルートゥース信号、ＲＦＩＤ信号、電力線信号、ＥｎＯｃｅａｎ信号またはＺｗａｖｅ信号から選ばれる。
【０００９】
また、前記制御器には、前記中継局に対応する無線識別コードが設けられ、前記無線識別コードは、前記中継局の指定を介して暗号化認証コードを生成する。
【００１０】
別の実施態様において、その内、前記終端器がモバイルデバイスである場合、前記第３信号は、３Ｇ信号、４Ｇ信号、Ｗｉｆｉ信号またはブルートゥース信号から選ばれる。
【００１１】
別の実施態様において、その内、前記中継局が複数設置される場合、複数の前記中継局同士は、互いに前記第２信号を介して電気通信接続されている。
【考案の効果】
【００１２】
本考案の異種ネットワーク制御システムは、主制御基地局内の信号処理器と中継局内の信号変換器とを介して、双方向の第１信号、第２信号、第３信号を変換することができ、アプリケーションプラットフォームは、３Ｇ信号、４Ｇ信号、Ｗｉｆｉ信号であろうとも、またはブルートゥース信号であろうとも伝送し、当該中継局の変換処理を経た後であれば、終端器に伝送することができる。従って、本異種ネットワーク制御システムは、異なるネットワークプロトコルのコミュニケーション方式を有し、異種プロトコル信号を効果的に整合させることができ、システム簡素化の効果が得られる。
【図面の簡単な説明】
【００１３】
【図１】本考案の第１実施例を示すブロック模式図である。
【図２】本考案の第１実施例の別の実施態様を示すブロック模式図である。
【図３】本考案の第１実施例において、終端器が制御器である場合を示すブロック模式図である。
【図４】本考案の第１実施例において、終端器がモバイルデバイスである場合を示すブロック模式図である。
【図５】本考案の好ましい実施例を示すブロック模式図である。
【考案を実施するための形態】
【００１４】
本考案をより完全に理解するために、以下、本考案の内容について添付図面を参照しながら説明する。なお、説明理解の容易性を考慮し、下記実施例の説明では、同一の構成要素には同一の符号が付されている。
【００１５】
図１の本考案の第１実施例のブロック模式図に示すように、本考案の異種ネットワーク制御システム１は、主制御基地局３と少なくとも１台の中継局４とを備え、主制御基地局３内に、第１通信器３１、第２通信器３３及び信号処理器３２が設置され、当該中継局４内に、第１中継通信器４１、第２中継通信器４３及び信号変換器４２が設けられ、第１通信器３１は、第１信号２０を介してアプリケーションプラットフォーム２と双方向電気通信接続され、かつ第１通信器３１が信号処理器３２に電気通信接続され、信号処理器３２が第２通信器３３に電気通信接続され、第２通信器３３は、第２信号３０を介して第１中継通信器４１と双方向電気通信接続され、第１中継通信器４１が信号変換器４２に電気通信接続され、信号変換器４２が第２中継通信器４３に電気通信接続され、第２中継通信器４３は、第３信号４０を介して少なくとも１台の終端器５と双方向電気通信接続されている。異種ネットワーク制御システム１の信号伝達経路が、アプリケーションプラットフォーム２から当該終端器５に伝送する経路である場合、第１信号２０は、信号処理器３２を介して第２信号３０に変換され、第２信号３０は、信号変換器４２を介して第３信号４０に変換される。異種ネットワーク制御システム１の信号伝達経路が、当該終端器５からアプリケーションプラットフォーム２に伝送する経路である場合、第３信号４０は、信号変換器４２を介して第２信号３０に変換され、第２信号３０は、信号処理器３２を介して第１信号２０に変換される。これにより、異種ネットワークの通信モードが達成され、かつ第１信号２０は、３Ｇ信号、４Ｇ信号、Ｗｉｆｉ信号、電力線信号またはブルートゥース信号から選ばれ、第２信号３０は、Ｗｉｆｉ信号、ブルートゥース信号、Ｚｉｇｂｅｅ（登録商標）信号、電力線信号、ＥｎＯｃｅａｎ信号またはＺｗａｖｅ信号から選ばれることを特徴としている。
【００１６】
図２の本考案の第１実施例の別の実施態様のブロック模式図に示すように、当該中継局４と当該終端器５が複数設置されてもよく、かつ第３信号４０は、３Ｇ信号、４Ｇ信号、Ｗｉｆｉ信号、Ｚｉｇｂｅｅ（登録商標）信号、ブルートゥース信号、ＲＦＩＤ信号、電力線信号、ＥｎＯｃｅａｎ信号またはＺｗａｖｅ信号から選ばれてもよい。
【００１７】
図３の本考案の第１実施例において終端器５が制御器である場合のブロック模式図に示すように、本実施形態においては、当該終端器５が制御器であって複数設置されてもよく、それらは、それぞれブルートゥース（Ｂｌｕｅｔｏｏｔｈ（登録商標））制御器６１、Ｚｉｇｂｅｅ（登録商標）制御器６２及びＺｗａｖｅ制御器６３として表すことができる。第３信号４０は、異なる通信プロトコルの制御器が発信あるいは受信する異なる信号タイプに対応し、かつ第３信号４０は、Ｚｉｇｂｅｅ（登録商標）信号、ブルートゥース信号またはＺｗａｖｅ信号から選ばれる。もし当該終端器５が電力線制御器あるいはＥｎＯｃｅａｎ制御器である場合、第３信号４０は、電力線信号あるいはＥｎＯｃｅａｎ信号であり、この種のモードは、家庭電源制御、デジタルエンターテインメント制御、安全保護監視管理及び制御、健康管理制御などの異種ネットワークのコミュニケーションモードであってもよい。
【００１８】
また、複数の当該終端器５には、当該中継局４に対応する無線識別コードが設けられ、無線識別コードは、当該中継局４の指定を介して暗号化認証コードが生成される。暗号化認証コードによれば、心ない者の悪意による侵入及び監視制御を効果的に予防することができるので、異種ネットワーク制御システム１の安全性をさらに向上させる。
【００１９】
図４の本考案の第１実施例において終端器５がモバイルデバイスである場合のブロック模式図に示すように、本実施形態においては、当該終端器５が複数設置される場合、当該終端器５がモバイルデバイスであって複数設置されてもよく、複数の当該終端器５は、モバイルデバイス・アップル（Ａｐｐｌｅ，登録商標）プラットフォーム７１、モバイルデバイス・アンドロイド（Ａｎｄｒｏｉｄ）プラットフォーム７２、及びモバイルデバイス・ハイアール（Ｈａｉｅｒ）プラットフォーム７３であってもよく、この場合、第３信号４０は、３Ｇ信号、４Ｇ信号、Ｗｉｆｉ信号またはブルートゥース信号から選ばれ、かつ当該中継局４は、各別に異なるプラットフォームコミュニケーションと連繋することができ、この種のモードは、マーケティング管理または物流管理に使用され、いずれも貨物または商品の状況を即時に制御管理することができ、消費者が買い物を行う時にも、消費者が物品を迅速に捜し出すことができるように補助する。
【００２０】
図５の本考案の好ましい実施例のブロック模式図に示すように、その内、当該中継局４が複数設置される場合、複数の当該中継局４同士は、互いに第２信号３０を介して電気通信接続されており、この種のモードにより、複数の当該中継局４同士の間は、互いに信号伝達の媒介として用いることができるので、アプリケーションプラットフォーム２と終端器５との距離が遠いか、または近いかに拘わらず、いずれも双方向コミュニケーションと双方向連繋することができる。
【産業上の利用可能性】
【００２１】
本考案の異種ネットワーク制御システム１は、主制御基地局３内の信号処理器３２と中継局４内の信号変換器４２とを介して、双方向の第１信号２０、第２信号３０、第３信号４０を変換することができ、アプリケーションプラットフォーム２は、３Ｇ信号、４Ｇ信号、Ｗｉｆｉ信号であろうとも、またはブルートゥース信号であろうとも伝送し、終端器５がブルートゥース制御器６１、Ｚｉｇｂｅｅ（登録商標）制御器６２、電力線制御器、ＥｎＯｃｅａｎ制御器あるいはＺｗａｖｅ制御器６３であっても、当該中継局４を介して上記異なる通信プロトコル制御器に対応する信号を発信及び受信することができる。この種のモードは、家庭電源制御、デジタルエンターテインメント制御、安全保護監視管理及び制御、健康管理制御などの異種ネットワークのコミュニケーションモードが達成され、かつ暗号化認証コードによれば、心ない者の悪意による侵入及び監視制御を効果的に予防することができるので、異種ネットワーク制御システム１の安全性をさらに向上させる。当該終端器５が複数設置される場合、当該終端器５がモバイルデバイス・Ａｐｐｌｅ（登録商標）プラットフォーム７１、モバイルデバイス・アンドロイドプラットフォーム７２、及びモバイルデバイス・ハイアールプラットフォーム７３などであれば、当該中継局４が異なる作業システムプラットフォームのパケットを発信と受信する機能があり、この種のモードは、マーケティング管理または物流管理に使用され、いずれも貨物または商品の状況を即時に制御管理することができ、消費者が買い物を行う時にも、消費者が物品を迅速に捜し出すことができるように補助する。本異種ネットワーク制御システム１は、異なるネットワークプロトコルまたは異なる作業プラットフォームのコミュニケーション方式を有し、異種プロトコルと異種作業システムプラットフォームの信号を効果的に整合させる機能があるので、システムを簡素化させることができる。
【符号の説明】
【００２２】
１    異種ネットワーク制御システム
２    アプリケーションプラットフォーム
２０  第１信号
３    主制御基地局
３０  第２信号
３１  第１通信器
３２  信号処理器
３３  第２通信器
４    中継局
４０  第３信号
４１  第１中継通信器
４２  信号変換器
４３  第２中継通信器
５    終端器
６１  ブルートゥース制御器
６２  Ｚｉｇｂｅｅ（登録商標）制御器
６３  Ｚｗａｖｅ制御器
７１  モバイルデバイス・アップルプラットフォーム
７２  モバイルデバイス・アンドロイドプラットフォーム
７３  モバイルデバイス・ハイアールプラットフォーム
【図１】
0003195815.tif 000003
【図２】
0003195815.tif 000004
【図３】
0003195815.tif 000005
【図４】
0003195815.tif 000006
【図５】
0003195815.tif 000007